(57)【要約】【課題】  本発明はメディアの使用容量を抑え、かつ音声に異音が発生しないようにする音声再生装置、音声記録装置及び音声記録再生システムを提供する。【解決手段】  本発明の音声再生装置は、記録媒体に有音時間内で連続してレベルが変化する連続データとして記録された有音レベル部分と無音時間内で単一レベルの単一データとして記録された無音レベル部分を有する音声データを再生するメディア再生部６と、再生された音声データに対して復号化処理を施す復号化処理部７，８，９と、音声データに対して復号化処理を施す際に、音声データに含まれる有音レベル部分と無音レベル部分との境界部分になだらかなレベル変化部分を挿入して無音レベル処理を施した後に復号化処理を施す無音レベル処理部１１と、無音レベル処理手段により無音レベル処理を施した音声データを音声出力する発音部１０とを備えたものである。【選択図】        図２
2006078792.tif 000002
【特許請求の範囲】
【請求項１】
予め記録媒体に符号化処理を施された後に記録された有音レベル部分と無音レベル部分とを繰り返し有する音声データを再生する音声再生装置において、
上記記録媒体に有音時間内で連続してレベルが変化する連続データとして記録された有音レベル部分と無音時間内で単一レベルの単一データとして記録された無音レベル部分を有する音声データを再生する記録媒体再生手段と、
上記記録媒体再生手段により再生された音声データに対して復号化処理を施す復号化処理手段と、
上記復号化処理手段により音声データに対して復号化処理を施す際に、上記音声データに含まれる有音レベル部分と無音レベル部分との境界部分になだらかなレベル変化部分を挿入して無音レベル処理を施した後に上記復号化処理を施す無音レベル処理手段と、
上記無音レベル処理手段により無音レベル処理を施した音声データを音声出力する音声出力手段と
を備えたことを特徴とする音声再生装置。
【請求項２】
請求項１記載の音声再生装置において、
上記無音レベル処理手段は、予め上記復号化処理手段による復号化処理におけるレベル差のスレッショルド値を記憶したスレッショルド記憶手段を有することを特徴とする音声再生装置。
【請求項３】
請求項２記載の音声再生装置において、
上記無音レベル処理手段は、上記スレッショルド記憶手段に記憶されたスレッショルド値に基づいて上記音声データに含まれる有音レベル部分と無音レベル部分との境界部分を検出する境界検出手段を有することを特徴とする音声再生装置。
【請求項４】
請求項２記載の音声再生装置において、
上記無音レベル処理手段は、上記スレッショルド記憶手段に記憶されたスレッショルド値に基づいて上記音声データに含まれる有音レベル部分と無音レベル部分との境界部分になだらかなレベル変化部分及び不感レベル差を挿入する挿入手段を有することを特徴とする音声再生装置。
【請求項５】
有音レベル部分と無音レベル部分とを繰り返し有する音声データを記録媒体に符号化処理を施した後に記録する音声記録装置において、
上記音声データを収得する収音手段と、
上記収音手段により収音された音声データに対して符号化処理を施す符号化処理手段と、
上記符号化処理手段により音声データに対して符号化処理を施す際に上記符号化処理を施した後に、上記音声データに含まれる有音レベル部分と無音レベル部分との境界部分になだらかなレベル変化部分を挿入して無音レベル処理を施す無音レベル処理手段と、
上記無音レベル処理手段により無音レベル処理を施した音声データを有音時間内で連続してレベルが変化する連続データの有音レベル部分と無音時間内で単一レベルの単一データの無音レベル部分を有する音声データとして上記記録媒体に記録する記録媒体記録手段と、
を備えたことを特徴とする音声記録装置。
【請求項６】
請求項５記載の音声記録装置において、
上記無音レベル処理手段は、予め上記符号化処理手段による符号化処理におけるレベル差のスレッショルド値を記憶したスレッショルド記憶手段を有することを特徴とする音声記録装置。
【請求項７】
請求項６記載の音声記録装置において、
上記無音レベル処理手段は、上記スレッショルド記憶手段に記憶されたスレッショルド値に基づいて上記音声データに含まれる有音レベル部分と無音レベル部分との境界部分を検出する境界検出手段を有することを特徴とする音声記録装置。
【請求項８】
請求項６記載の音声記録装置において、
上記無音レベル処理手段は、上記スレッショルド記憶手段に記憶されたスレッショルド値に基づいて上記音声データに含まれる有音レベル部分と無音レベル部分との境界部分になだらかなレベル変化部分及び不感レベル差を挿入する挿入手段を有することを特徴とする音声記録装置。
【請求項９】
有音レベル部分と無音レベル部分とを繰り返し有する音声データを記録媒体に符号化処理を施した後に記録する音声記録装置と、予め記録媒体に符号化処理を施された後に記録された有音レベル部分と無音レベル部分とを繰り返し有する音声データを再生する音声再生装置とを有する音声記録再生システムにおいて、
上記音声記録装置は、
上記音声データを収得する収音手段と、
上記収音手段により収音された音声データに対して符号化処理を施す符号化処理手段と、
有音時間内で連続してレベルが変化する連続データの有音レベル部分と無音時間内で単一レベルの単一データの無音レベル部分を有する音声データとして記録すべき音声データを上記記録媒体に記録する記録媒体記録手段とを有し、
上記音声再生装置は、
上記記録媒体に有音時間内で連続してレベルが変化する連続データとして記録された有音レベル部分と無音時間内で単一レベルの単一データとして記録された無音レベル部分を有する音声データを再生する記録媒体再生手段と、
上記記録媒体再生手段により再生された音声データに対して復号化処理を施す復号化処理手段と、
音声出力すべき音声データを音声出力する音声出力手段とを有し、
上記音声記録装置は、上記符号化処理手段により音声データに対して符号化処理を施す際に上記符号化処理を施した後に、上記音声データに含まれる有音レベル部分と無音レベル部分との境界部分になだらかなレベル変化部分を挿入して無音レベル処理を施す無音レベル処理手段を有するか、又は上記音声再生装置は、上記復号化処理手段により音声データに対して復号化処理を施す際に、上記音声データに含まれる有音レベル部分と無音レベル部分との境界部分になだらかなレベル変化部分を挿入して無音レベル処理を施した後に上記復号化処理を施す無音レベル処理手段を有する
ことを特徴とする音声記録再生システム。
【請求項１０】
請求項９記載の音声記録再生システムにおいて、
上記無音レベル処理手段は、予め上記符号化処理手段による符号化処理又は予め上記復号化処理手段による復号化処理におけるレベル差のスレッショルド値を記憶したスレッショルド記憶手段を有することを特徴とする音声記録再生システム。
【請求項１１】
請求項１０記載の音声記録再生システムにおいて、
上記無音レベル処理手段は、上記スレッショルド記憶手段に記憶されたスレッショルド値に基づいて上記音声データに含まれる有音レベル部分と無音レベル部分との境界部分を検出する境界検出手段を有することを特徴とする音声記録再生システム。
【請求項１２】
請求項１０記載の音声記録再生システムにおいて、
上記無音レベル処理手段は、上記スレッショルド記憶手段に記憶されたスレッショルド値に基づいて上記音声データに含まれる有音レベル部分と無音レベル部分との境界部分になだらかなレベル変化部分及び不感レベル差を挿入する挿入手段を有することを特徴とする音声記録再生システム。
【発明の詳細な説明】
【技術分野】
【０００１】
本発明は、予め記録媒体に記録された音声データを再生する音声再生装置、音声記録装置及び音声記録再生システムに関する。
【背景技術】
【０００２】
従来、メモリの使用効率を向上する音声信号記録装置として、被記録音声信号について、フレーム毎に無音フレームであるか有音フレームであるかを判定して、無音フレームについては、無音フレームであることの識別データと、無音フレームの連続数をデータとして記憶し、無音フレームが連続した場合に、２つ目からの無音フレームの記憶を省略して、全体として記憶量を削減するものがあった(特許文献１参照)。
【特許文献１】特開平０７−１２１１９３号公報
【発明の開示】
【発明が解決しようとする課題】
【０００３】
しかし、特許文献１記載の従来の音声信号記録装置により記録した音声データを再生する音声再生システムにおける無音は音の無い音声データとして存在するため、通常の音声データと同様のデータ格納領域を必要とする。
【０００４】
また、図７に示すように、音声再生システムで再生される音声は、人間の耳で聞き取ることのできる有音音声データからなる有音音声部(質問期間)７１と人間の耳では聞き取ることのできない無音音声データからなる無音音声部(回答期間)７２の２つに分類することができる。この無音音声データは、通常この人間の耳で聞き取ることのできない情報であっても、音の無い音声データとして存在するためデータ領域を使用することになる。
【０００５】
また、データ領域を節約するために、無音音声部(回答期間)７２を直ちにアンプ出力のＯＦＦなどで対応して無音時に音声出力を止めることは可能であるが、有音音声部(質問期間)７１の終了部分と無音音声部(回答期間)７２で音声出力を止めた状態では音圧レベルが必ずしも同一ではないため、有音音声部(質問期間)７１から無音音声部(回答期間)７２への切り替わりで異音が発生してしまうことにより、その変化点において聞き手に対して違和感を与えるレベル差７３が発生するという不都合があった。このような違和感レベル差７３は、例えばＴＯＥＩＣのようなリスニング試験での受験者が有音音声部(質問期間)７１の試験問題の聞き難さにつながってしまうため、続く無音音声部(回答期間)７２に支障をきたすことが考えられる。
【０００６】
そこで、本発明はメディアの使用容量を抑え、かつ音声に異音が発生しないようにする音声再生装置、音声記録装置及び音声記録再生システムを提供することを目的とするものである。
【課題を解決するための手段】
【０００７】
上記課題を解決し、本発明の目的を達成するため、本発明の音声再生装置は、記録媒体に有音時間内で連続してレベルが変化する連続データとして記録された有音レベル部分と無音時間内で単一レベルの単一データとして記録された無音レベル部分を有する音声データを再生する記録媒体再生手段と、記録媒体再生手段により再生された音声データに対して復号化処理を施す復号化処理手段と、復号化処理手段により音声データに対して復号化処理を施す際に、音声データに含まれる有音レベル部分と無音レベル部分との境界部分になだらかなレベル変化部分を挿入して無音レベル処理を施した後に復号化処理を施す無音レベル処理手段と、無音レベル処理手段により無音レベル処理を施した音声データを音声出力する音声出力手段とを備えたものである。
【０００８】
これにより、音声データは記録媒体に有音時間内で連続してレベルが変化する連続データとして記録された有音レベル部分と無音時間内で単一レベルの単一データとして記録された無音レベル部分を有して記録されるので、音声データのデータサイズを縮小することができる。
【０００９】
また、音声再生時に、音声データに対して復号化処理を施す際に、音声データに含まれる有音レベル部分と無音レベル部分との境界部分になだらかなレベル変化部分を挿入して無音レベル処理を施すことができる。
【００１０】
また、本発明の音声記録装置は、音声データを収得する収音手段と、収音手段により収音された音声データに対して符号化処理を施す符号化処理手段と、符号化処理手段により音声データに対して符号化処理を施す際に符号化処理を施した後に、音声データに含まれる有音レベル部分と無音レベル部分との境界部分になだらかなレベル変化部分を挿入して無音レベル処理を施す無音レベル処理手段と、無音レベル処理手段により無音レベル処理を施した音声データを有音時間内で連続してレベルが変化する連続データの有音レベル部分と無音時間内で単一レベルの単一データの無音レベル部分を有する音声データとして記録媒体に記録する記録媒体記録手段とを備えたものである。
【００１１】
これにより、音声データは記録媒体に有音時間内で連続してレベルが変化する連続データとしての有音レベル部分と無音時間内で単一レベルの単一データとしての無音レベル部分を有して記録されるので、音声データのデータサイズを縮小することができる。
【００１２】
また、音声記録時に、音声データに対して符号化処理を施す際に符号化処理を施した後に、音声データに含まれる有音レベル部分と無音レベル部分との境界部分になだらかなレベル変化部分を挿入して無音レベル処理を施すことができる。
【００１３】
また、本発明の音声記録再生システムは、音声記録装置は、有音時間内で連続してレベルが変化する連続データの有音レベル部分と無音時間内で単一レベルの単一データの無音レベル部分を有する音声データとして記録すべき音声データを上記記録媒体に記録する記録媒体記録手段を有し、音声再生装置は、記録媒体に有音時間内で連続してレベルが変化する連続データとして記録された有音レベル部分と無音時間内で単一レベルの単一データとして記録された無音レベル部分を有する音声データを再生する記録媒体再生手段を有し、音声記録装置は、符号化処理手段により音声データに対して符号化処理を施す際に符号化処理を施した後に、音声データに含まれる有音レベル部分と無音レベル部分との境界部分になだらかなレベル変化部分を挿入して無音レベル処理を施す無音レベル処理手段を有するか、又は音声再生装置は、復号化処理手段により音声データに対して復号化処理を施す際に、音声データに含まれる有音レベル部分と無音レベル部分との境界部分になだらかなレベル変化部分を挿入して無音レベル処理を施した後に復号化処理を施す無音レベル処理手段を有するものである。
【００１４】
これにより、音声データは記録媒体に有音時間内で連続してレベルが変化する連続データとしての有音レベル部分と無音時間内で単一レベルの単一データとしての無音レベル部分を有して記録されるので、音声データのデータサイズを縮小することができる。
【００１５】
また、音声記録時に、音声データに対して符号化処理を施す際に符号化処理を施した後に、音声データに含まれる有音レベル部分と無音レベル部分との境界部分になだらかなレベル変化部分を挿入して無音レベル処理を施すか、又は音声再生時に、音声データに対して復号化処理を施す際に、音声データに含まれる有音レベル部分と無音レベル部分との境界部分になだらかなレベル変化部分を挿入して無音レベル処理を施すことができる。
【発明の効果】
【００１６】
本発明によれば、音声データは記録媒体に有音時間内で連続してレベルが変化する連続データとしての有音レベル部分と無音時間内で単一レベルの単一データとしての無音レベル部分を有して記録されるので、有音レベル部分と無音レベル部分とを繰り返し有する音声データのデータサイズを縮小し、より低容量のメディアに有効的に音声データを格納することができる。
【００１７】
また、音声データに含まれる有音レベル部分と無音レベル部分との境界部分になだらかなレベル変化部分を挿入するので、音声に異音が発生することがなく、しかもなだらかなレベル変化部分の後にアンプへの出力をOFFすることで消費電流を押さえることができる。
【発明を実施するための最良の形態】
【００１８】
以下に、本発明の実施の形態について、適宜、図面を参照しながら説明する。
本発明の実施の形態では、音声データに含まれる有音レベル部分と無音レベル部分との境界部分になだらかなレベル変化部分を挿入する無音レベル処理部を、音声記録時に音声記録装置に適用する場合と、音声再生時に音声再生装置に適用する場合が考えられるので、その各々についての適用例を説明する。また、音声記録装置及び音声再生装置を有する音声記録再生システムにおいては特に図示しないが音声記録装置又は音声再生装置のいずれか一方に無音レベル処理部を適用することになる。
【００１９】
図１は、音声記録装置の構成図である。
図１において、音声記録装置は、有音レベル部分と無音レベル部分とを繰り返し有する音声データを記録媒体に符号化処理を施した後に記録するものであって、音声データを収得する収音部１と、収音部１により収音された音声データに対してＰＣＭ(pulse code modulation)符号化処理を施すＰＣＭ符号化処理部２と、ＰＣＭ符号化処理部２によりＰＣＭ符号化処理を施した音声データの立上り、立下りの処理を行う立上り、立下り処理部３と、立上り、立下り処理部３により立上り、立下りの処理を施した音声データにＡＤＰＣＭ(adaptive pulse code modulation)符号化処理を施すＡＤＰＣＭ符号化処理部４と、ＡＤＰＣＭ符号化処理部４により音声データに対してＰＣＭ符号化処理を施す際にＡＤＰＣＭ符号化処理を施した後に、音声データに含まれる有音レベル部分と無音レベル部分との境界部分になだらかなレベル変化部分を挿入して無音レベル処理を施す無音レベル処理部１１と、無音レベル処理部１１により無音レベル処理を施した音声データを有音時間内で連続してレベルが変化する連続データの有音レベル部分と無音時間内で単一レベルの単一データの無音レベル部分を有する音声データとして記録媒体に記録するメディア記録部５とを備えている。
【００２０】
このように構成された音声記録装置は、以下のような動作をする。
収音部１は音源から音声データを収得する。ＰＣＭ符号化処理部２は収音部１により収音された音声データに対してＰＣＭ符号化処理を施す。立上り、立下り処理部３はＰＣＭ符号化処理部２によりＰＣＭ符号化処理を施した音声データの立上り、立下りの処理を行う。ＡＤＰＣＭ符号化処理部４は立上り、立下り処理部３により立上り、立下りの処理を施した音声データにＡＤＰＣＭ符号化処理を施す。ここで、無音レベル処理部１１はＡＤＰＣＭ符号化処理部４により音声データに対してＰＣＭ符号化処理を施す際にＡＤＰＣＭ符号化処理を施した後に、音声データに含まれる有音レベル部分と無音レベル部分との境界部分になだらかなレベル変化部分を挿入して無音レベル処理を施す。メディア記録部５は無音レベル処理部１１により無音レベル処理を施した音声データを有音時間内で連続してレベルが変化する連続データの有音レベル部分と無音時間内で単一レベルの単一データの無音レベル部分を有する音声データとして記録媒体に記録する。
【００２１】
図２は、音声再生装置の構成図である。
図２において、音声再生装置は、予め記録媒体に符号化処理を施された後に記録された有音レベル部分と無音レベル部分とを繰り返し有する音声データを再生するものであって、記録媒体に有音時間内で連続してレベルが変化する連続データとして記録された有音レベル部分と無音時間内で単一レベルの単一データとして記録された無音レベル部分を有する音声データを再生するメディア再生部６と、メディア再生部６により再生された音声データに対してＡＤＰＣＭ復号化処理を施すＡＤＰＣＭ復号化処理部７と、ＡＤＰＣＭ復号化処理部７により音声データに対してＡＤＰＣＭ復号化処理を施す際に、音声データに含まれる有音レベル部分と無音レベル部分との境界部分になだらかなレベル変化部分を挿入して無音レベル処理を施した後にＡＤＰＣＭ復号化処理を施す無音レベル処理部１１と、無音レベル処理部１１により無音レベル処理を施した音声データの立上り、立下りの処理を行う立上り、立下り処理部８と、立上り、立下り処理部８により立上り、立下りの処理を施した音声データにＰＣＭ復号化処理を施すＰＣＭ復号化処理部９と、ＰＣＭ復号化処理部９によりＰＣＭ復号化処理を施した音声データを音声出力する発音部１０とを備えている。
【００２２】
このように構成された音声再生装置は、以下のような動作をする。
メディア再生部６は記録媒体に有音時間内で連続してレベルが変化する連続データとして記録された有音レベル部分と無音時間内で単一レベルの単一データとして記録された無音レベル部分を有する音声データを再生する。ＡＤＰＣＭ復号化処理部７はメディア再生部６により再生された音声データに対してＡＤＰＣＭ復号化処理を施す。ここで、無音レベル処理部１１はＡＤＰＣＭ復号化処理部７により音声データに対してＡＤＰＣＭ復号化処理を施す際に、音声データに含まれる有音レベル部分と無音レベル部分との境界部分になだらかなレベル変化部分を挿入して無音レベル処理を施した後にＡＤＰＣＭ復号化処理を施す。立上り、立下り処理部８は無音レベル処理部１１により無音レベル処理を施した音声データの立上り、立下りの処理を行う。ＰＣＭ復号化処理部９は立上り、立下り処理部８により立上り、立下りの処理を施した音声データにＰＣＭ復号化処理を施す。発音部１０はＰＣＭ復号化処理部９によりＰＣＭ復号化処理を施した音声データを音声出力する。
【００２３】
図３は、無音レベル処理部の構成図である。
図３において、図１及び図２に示した無音レベル処理部１１は、予めＡＤＰＣＭ符号化処理部２によるＡＤＰＣＭ符号化処理又は予めＡＤＰＣＭ復号化処理部７によるＡＤＰＣＭ復号化処理におけるレベル差のスレッショルド値を記憶したＡＤＰＣＭレベル差スレッショルド記憶部３１と、音声データに含まれる有音レベル部分と無音レベル部分との境界部分を検出する有音レベル部分及び無音レベル部分境界検出部３２と、音声データに含まれる有音レベル部分と無音レベル部分との境界部分になだらかなレベル変化部分を挿入して無音レベル処理を施すなだらかなレベル変化挿入部３３とを備えている。
【００２４】
このように構成された無音レベル処理部は、以下のような動作をする。
ＡＤＰＣＭレベル差スレッショルド記憶部３１は予めＡＤＰＣＭ符号化処理部２によるＡＤＰＣＭ符号化処理又は予めＡＤＰＣＭ復号化処理部７によるＡＤＰＣＭ復号化処理におけるレベル差のスレッショルド値を記憶している。有音レベル部分及び無音レベル部分境界検出部３２は音声データに含まれる有音レベル部分と無音レベル部分との境界部分を検出する。なだらかなレベル変化挿入部３３は音声データに含まれる有音レベル部分と無音レベル部分との境界部分になだらかなレベル変化部分を挿入して無音レベル処理を施す。
【００２５】
図５は、有音音声と無音音声の境界へのなだらかなレベル変化の挿入を示す図である。図５は、図３に示した無音レベル処理部の動作を示すものである。
図５において、有音音声部(質問期間)５１から無音音声部(回答期間)５２への切り替わりでなだらかなレベル変化部分５３を挿入する。
【００２６】
このなだらかなレベル変化部分５３は、図３に示したＡＤＰＣＭレベル差スレッショルド記憶部３１に予め記憶したＡＤＰＣＭ符号化処理部２によるＡＤＰＣＭ符号化処理又は予めＡＤＰＣＭ復号化処理部７によるＡＤＰＣＭ復号化処理におけるレベル差のスレッショルド値ＴＨの範囲内で連続的になだらかにレベルが変化する。従って、これにより、ＡＤＰＣＭ符号化処理又はＡＤＰＣＭ復号化処理において、影響のない範囲内で連続的になだらかにレベルを変化させることができる。
【００２７】
このようななだらかなレベル変化部分５３の挿入により、例えばＴＯＥＩＣのようなリスニング試験での受験者が有音音声部(質問期間)５１の試験問題の聞き難さがなくなるため、続く無音音声部(回答期間)５２に支障をきたすことがなくなる。
【００２８】
図４は、他の無音レベル処理部の構成図である。
図４において、図１及び図２に示した他の無音レベル処理部１１は、予めＡＤＰＣＭ符号化処理部２によるＡＤＰＣＭ符号化処理又は予めＡＤＰＣＭ復号化処理部７によるＡＤＰＣＭ復号化処理におけるレベル差のスレッショルド値を記憶したＡＤＰＣＭレベル差スレッショルド記憶部３１と、音声データに含まれる有音レベル部分と無音レベル部分との境界部分を検出する有音レベル部分及び無音レベル部分境界検出部３２と、ＡＤＰＣＭレベル差スレッショルド記憶部３１に記憶されたスレッショルド値に基づいて音声データに含まれる有音レベル部分と無音レベル部分との境界部分になだらかなレベル変化部分及び不感レベル差を挿入するなだらかなレベル変化及び不感レベル差挿入部４１とを備えている。
【００２９】
このように構成された他の無音レベル処理部は、以下のような動作をする。
ＡＤＰＣＭレベル差スレッショルド記憶部３１は予めＡＤＰＣＭ符号化処理部２によるＡＤＰＣＭ符号化処理又は予めＡＤＰＣＭ復号化処理部７によるＡＤＰＣＭ復号化処理におけるレベル差のスレッショルド値を記憶している。有音レベル部分及び無音レベル部分境界検出部３２は音声データに含まれる有音レベル部分と無音レベル部分との境界部分を検出する。なだらかなレベル変化及び不感レベル差挿入部４１はＡＤＰＣＭレベル差スレッショルド記憶部３１に記憶されたスレッショルド値に基づいて音声データに含まれる有音レベル部分と無音レベル部分との境界部分になだらかなレベル変化部分及び不感レベル差を挿入する。
【００３０】
図６は、他のレベル変化の例を示す図である。図６は、図４に示した他の無音レベル処理部の動作を示すものである。
図６において、有音音声部(質問期間)６１から無音音声部(回答期間)６２への切り替わりでなだらかなレベル変化部分６３及び不感レベル差部分６４を挿入する。
【００３１】
このなだらかなレベル変化部分６３及び不感レベル差部分６４は、図４に示したＡＤＰＣＭレベル差スレッショルド記憶部３１に予め記憶したＡＤＰＣＭ符号化処理部２によるＡＤＰＣＭ符号化処理又は予めＡＤＰＣＭ復号化処理部７によるＡＤＰＣＭ復号化処理におけるレベル差のスレッショルド値ＴＨの範囲内で連続的になだらかにレベルが変化した後に、聞き手に対して違和感を与えない不感レベル差だけ一度にレベルが低下する。従って、これにより、ＡＤＰＣＭ符号化処理又はＡＤＰＣＭ復号化処理において、影響のない範囲内で連続的になだらかにレベルを変化させた後に、不感レベル差だけ一度にレベルを低下させることができる。
【００３２】
このようななだらかなレベル変化部分６３及び不感レベル差部分６４の挿入により、例えばＴＯＥＩＣのようなリスニング試験での受験者が有音音声部(質問期間)６１の試験問題の聞き難さがなくなるため、続く無音音声部(回答期間)６２に支障をきたすことがなくなる。
【００３３】
本発明の実施の形態では、無音音声データを無音時間内の単一レベルの単一データとして持ち、データの使用量を削減する。無音音声データの再生は無音の期間、アンプへの音声出力を０にすることで行い、その間の消費電力を削減する。
【００３４】
この際、上述している有音音声部分と無音音声部分との変化点で発生する聞き手に与える違和感に対して、有音音声の終了部分に無音音声のレベルへの自然なレベルの降下部を追加し、特に図示しないが、有音音声の開始部分には、上述と逆の自然なレベルの上昇部を追加することで、有音音声と無音音声の急激なレベルの変化による聞き手に対する違和感の発生を防ぐことができる。
【００３５】
また、音声を再生する機器の電源供給が弱いような場合、例えば電源電圧３．３ボルトのもので、３ボルト程度のレベル差があるとその負荷変動に耐えることができず、システムがダウンする可能性のあるものもある。そのようなものに対しても、本発明の構成を用いることで、負荷変動の急激な変化を抑えることができる。
【００３６】
本発明は、上述した実施の形態に限らず、有音音声データと無音音声データを混在させて再生させるシステムに応用することが可能である。
【図面の簡単な説明】
【００３７】
【図１】音声記録装置の構成図である。
【図２】音声再生装置の構成図である。
【図３】無音レベル処理部の構成図である。
【図４】他の無音レベル処理部の構成図である。
【図５】有音音声と無音音声の境界へのなだらかなレベル変化の挿入を示す図である。
【図６】他のレベル変化の例を示す図である。
【図７】有音音声と無音音声の境界での異音発生原因を示す図である。
【符号の説明】
【００３８】
１…収音部、２…ＰＣＭ符号化処理部、３…立上り、立下り処理部、４…ＡＤＰＣＭ符号化処理部、５…メディア記録部、６…メディア再生部、７…ＡＤＰＣＭ復号化処理部、８…立上り、立下り処理部、９…ＰＣＭ復号化処理部、１０…発音部、１１…無音レベル処理部、３１…ＡＤＰＣＭレベル差スレッショルド記憶部、３２…有音レベル部分及び無音レベル部分境界検出部、３３…なだらかなレベル変化挿入部、４１…なだらかなレベル変化及び不感レベル差挿入部、５１…有音音声部(質問期間)、５２…無音音声部(回答期間)、５３…なだらかなレベル変化部分、６１…有音音声部(質問期間)、６２…無音音声部(回答期間)、６４…なだらかなレベル変化部分６３及び不感レベル差部分
【図１】
2006078792.tif 000003
【図２】
2006078792.tif 000004
【図３】
2006078792.tif 000005
【図４】
2006078792.tif 000006
【図５】
2006078792.tif 000007
【図６】
2006078792.tif 000008
【図７】
2006078792.tif 000009